(57)【要約】【課題】測定データのフォーマットを変換してストレージ装置に格納する場合の処理時間を短縮できる測定データ処理方法および測定データ処理装置を実現すること。【解決手段】測定データファイルを生成する第１のステップと、測定データファイルと測定データファイルを所望のファイル形式に変換する変換用プログラムとを組み合わせて出力データファイルとして編集する第２のステップと、編集されたデータファイルをストレージ装置に送信出力する第３のステップとを含むことを特徴とする測定データ処理方法および測定データ処理装置。【選択図】                    図１
2004234119.tif 000002
【特許請求の範囲】
【請求項１】
測定データファイルを生成する第１のステップと、
測定データファイルと測定データファイルを所望のファイル形式に変換する変換用プログラムとを組み合わせて出力データファイルとして編集する第２のステップと、
編集されたデータファイルをストレージ装置に送信出力する第３のステップ、とを含むことを特徴とする測定データ処理方法。
【請求項２】
変換用プログラムは測定データファイルをＡＳＣＩＩファイルに変換するものであることを特徴とする請求項１記載の測定データ処理方法。
【請求項３】
出力データファイルは自己解凍型として編集されることを特徴とする請求項１または請求項２記載の測定データ処理方法。
【請求項４】
測定データファイルをストレージ装置に転送格納する測定データ処理装置であって、
測定データファイルを生成する測定データファイル生成部と、
測定データファイルと測定データファイルを所望のファイル形式に変換する変換用プログラムとを組み合わせて出力データファイルとして編集する出力データファイル編集部と、
編集されたデータファイルをストレージ装置に送信出力する編集データファイル出力部、とを含むことを特徴とする測定データ処理装置。
【請求項５】
変換用プログラムは測定データファイルをＡＳＣＩＩファイルに変換するものであることを特徴とする請求項４に記載の測定データ処理装置。
【請求項６】
出力データファイルは自己解凍型として編集されることを特徴とする請求項４または請求項５に記載の測定データ処理装置。
【発明の詳細な説明】
【０００１】
【発明の属する技術分野】
本発明は、測定データ処理方法および測定データ処理装置に関し、詳しくは、測定データのフォーマットを変換してメモリに格納する場合のフォーマット変換処理に関するものである。
【０００２】
【従来の技術】
図４は、波形測定装置の一例を示す基本ブロック図である。入力端子１に入力されるアナログ入力信号は、Ａ／Ｄ変換器２でデジタル信号に変換され、測定データとしてアクイジションメモリ３に格納される。ＣＰＵ４は、アクイジションメモリ３に格納された測定データを読み出しファイルとしてストレージ装置５に転送格納したり、測定データに対して測定波形解析のための統計処理や電圧・電流などの測定物理量で表示するための演算処理を施し、それらの処理結果を表示装置６に表示する。なお、ストレージ装置５としては、内蔵ハードディスク、フレキシブル磁気シートディスク、フラッシュＡＴＡ（Ａｄｖａｎｃｅｄ  Ｔｅｃｈｎｏｌｏｇｙ  Ａｔｔａｃｈｍｅｎｔ）カードなどを用いる。
【０００３】
ところで、このような波形測定装置において、ストレージ装置５に測定データファイルとして格納するデータフォーマットとしては、
・Ｗａｖｅｆｏｒｍファイル：測定データを無変換で保存するバイナリファイル
・ＡＳＣＩＩ（登録商標）ファイル：測定データをＡＳＣＩＩ文字に変換し保存するＡＳＣＩＩファイル
・ＦＬＯＡＴファイル：測定データを浮動小数点形式で保存するバイナリファイルなどがあり、図５に２チャンネルのＡＳＣＩＩファイルの例を示している。
【０００４】
そして、従来これらのデータ変換処理は、例えば図６に示すように波形測定装置のＣＰＵ４側で行い、それらの処理結果をストレージ装置５に転送格納していた。すなわち、ＣＰＵ４には、アクイジションメモリ３に格納された測定データを読み出してファイルを生成する測定データファイル生成部４１と、測定データファイル生成部４１で生成されたファイルを変換用プログラム格納部４２に別途格納されている変換用プログラムに基づいて所望のファイル形式（例えばＡＳＣＩＩファイル）に変換する測定データファイル変換部４３と、測定データファイル変換部４３で変換されたファイル（例えばＡＳＣＩＩ文字列ファイル）をストレージ装置５に出力する変換測定データファイル出力部４４が設けられていた。
【０００５】
【特許文献１】
特開平１０−２４１０８９
【０００６】
特許文献１には、ネットワークブラウザを用いて測定データを取得する遠隔測定器に関する発明が開示されている。
【０００７】
特許文献１によれば、世界の任意の場所から遠隔地の測定器にアクセスすることができ、測定データの取得をはじめとする多くの目的が達成できる（段落００３３）。
【０００８】
しかし、特許文献１では、本発明の目的のように、測定データファイルの変換処理に伴う問題を解決することを示唆していない。
【０００９】
【発明が解決しようとする課題】
例えば前述のように測定データをＡＳＣＩＩファイルに変換して保存する場合、測定データをＡＳＣＩＩ文字に変換しなければならないが、これらＡＳＣＩＩ文字変換に多大な時間を要していた。また、変換後のデータサイズが元データの１０倍近くにも増大するため、保存処理自体にも多くの時間を要することになる。具体的には、ほとんど無変換のＷａｖｅｆｏｒｍファイルを保存する場合と比べ、２０倍近くの時間がかかっている。
【００１０】
波形測定装置には、トリガ毎にファイルセーブを行うなどのアクションを実行するＡｃｔｉｏｎＯｎＴｒｉｇｇｅｒという機能があるが、ファイルセーブに時間がかかるということは測定間の測定していない時間「デッドタイム」が長いということであって好ましくなく、デッドタイムの短縮は改善項目の１つである。
【００１１】
また、ＷａｖｅｆｏｒｍファイルをＡＳＣＩＩファイルに変換するためには専用ソフトを用いなければならないが、そのためには例えば測定器メーカーなどのしかるべきサイトからダウンロードしなければならず、作業性が悪い。
【００１２】
本発明は、これらの点に着目したものであり、その目的は、測定データのフォーマットを変換してストレージ装置に格納する場合の処理時間を短縮できる測定データ処理方法および測定データ処理装置を実現することにある。
【００１３】
【課題を解決するための手段】
このような課題を達成する請求項１記載の発明は、
測定データファイルを生成する第１のステップと、
測定データファイルと測定データファイルを所望のファイル形式に変換する変換用プログラムとを組み合わせて出力データファイルとして編集する第２のステップと、
編集されたデータファイルをストレージ装置に送信出力する第３のステップ、とを含むことを特徴とする測定データ処理方法である。
【００１４】
請求項２記載の発明は、請求項１記載の測定データ処理方法において、
変換用プログラムは測定データファイルをＡＳＣＩＩファイルに変換するものであることを特徴とする。
【００１５】
請求項３記載の発明は、請求項１または請求項２記載の測定データ処理方法において、
出力データファイルは自己解凍型として編集されることを特徴とする。
【００１６】
これらの測定データ処理方法によれば、測定器側では、従来のファイル変換処理が不要になることから、ファイル変換処理に伴って発生していた測定不能なデッドタイムを大幅に短縮改善できる。ストレージ装置には圧縮されたデータを格納することから、同一格納領域により大量の測定データを格納できる。そして、測定データを解析するユーザーは、ストレージ装置にアクセスして所望の出力データファイルを取り出して解凍すればよく、変換ファイル形式についての自由度が大きくなる。
【００１７】
請求項４記載の発明は、
測定データファイルをストレージ装置に転送格納する測定データ処理装置であって、
測定データファイルを生成する測定データファイル生成部と、
測定データファイルと測定データファイルを所望のファイル形式に変換する変換用プログラムとを組み合わせて出力データファイルとして編集する出力データファイル編集部と、
編集されたデータファイルをストレージ装置に送信出力する編集データファイル出力部、とを含むことを特徴とする。
【００１８】
請求項５記載の発明は、請求項４に記載の測定装置において、
変換用プログラムは測定データファイルをＡＳＣＩＩファイルに変換するものであることを特徴とする。
【００１９】
請求項６記載の発明は、請求項４または請求項５に記載の測定データ処理装置において、
出力データファイルは自己解凍型として編集されることを特徴とする。
【００２０】
これらにより、測定データのフォーマットを変換してストレージ装置に格納する場合の処理時間を短縮でき、測定不能なデッドタイムを短縮できる。
【００２１】
【００２２】
【発明の実施の形態】
以下、本発明の実施態様を、図面を用いて説明する。図１は本発明に基づく測定データ処理装置の概念構成図であり、図４および図６と共通する部分には同一の符号を付けている。
【００２３】
図１において、ＣＰＵ４には、図４と同様な測定データファイル生成部４１と変換用プログラム格納部４２の他に、出力データファイル編集部４５と、編集データファイル出力部４６が設けられている。
【００２４】
出力データファイル編集部４５は、測定データファイル生成部４１で生成された測定データファイルと、変換用プログラム格納部４２に格納されていてこの測定データファイルを所望のファイル形式に変換する変換用プログラムとを組み合わせ、出力データファイルとして編集する。
【００２５】
図２は、出力データファイル編集部４５で編集される出力データファイルの構成例図である。出力データファイルは、起動バッチファイルと変換用プログラムファイルと測定データファイルとを自己解凍型としてまとめたアーカイブファイルとして編集作成されている。
【００２６】
起動バッチファイルは、測定データファイルをパラメータとして、変換用プログラムを起動するように記述されている。
【００２７】
変換用プログラムファイルは、測定データファイルを前述のようなＷａｖｅｆｏｒｍ、ＡＳＣＩＩ、ＦＬＯＡＴなどの任意の形式ファイルに変換して保存するように記述された例えばＪａｖａ（登録商標）プログラムを格納したファイルである。
【００２８】
編集データファイル出力部４６は、出力データファイル編集部４５で編集作成されたデータファイルをストレージ装置５に送信出力する。
【００２９】
測定データを解析したいユーザーは、コンピュータ７からストレージ装置５にアクセスして所望の出力データファイルを取り出し、ファイル解凍の実行を指示する。これにより、測定データファイルはユーザーが指定する所望のファイル形式に変換され、ユーザーはコンピュータ７上で測定データについて必要な解析が行えることになる。
【００３０】
図３は、このようなシステム構成における測定データ処理の流れを示すフローチャートである。
【００３１】
測定データファイル生成部４１は、アクイジションメモリ３に格納された測定データを読み出してファイルを生成する（Ｓ１）。
【００３２】
出力データファイル編集部４５は、測定データファイルとこの測定データファイルを所望のファイル形式に変換する変換用プログラムとを組み合わせて出力データファイルを編集する（Ｓ２）。
【００３３】
編集データファイル出力部４６は、出力データファイル編集部４５で編集作成されたデータファイルをストレージ装置５に送信出力する（Ｓ３）。
【００３４】
ユーザーは、ストレージ装置５から所望の出力データファイルを取り出してファイル解凍を実行する（Ｓ４）。
【００３５】
すなわち、測定データ処理方法および測定データ処理装置によれば、測定器側では従来必要であったファイル変換処理が不要になることからデータ加工時間を削減できるとともにファイルサイズ縮小により保存時間を短縮でき、測定動作が中断されるデッドタイムを大幅に削減できることから連続測定性能の向上が図れる。
【００３６】
ストレージ装置５へのデータ伝送は圧縮ファイルで行われるので、データ通信負荷を軽減できる。
【００３７】
ストレージ装置５には圧縮されたデータを格納することから、同一格納領域により大量の測定データを格納できる。
【００３８】
測定データを解析するユーザーは、ストレージ装置にアクセスして所望の出力データファイルを取り出して解凍し、複数ファイルフォーマットが必要な場合には目的のフォーマットに変換すればよく、変換ファイル形式についての自由度が大きくなる。例えばＥｘｃｅｌ（登録商標）で解析したい時にはＡＳＣＩＩ変換、Ｗａｖｅｆｏｒｍ対応の専用ビューアで閲覧したい時にはＷａｖｅｆｏｒｍ変換など、必要な時に必要なフォーマットのファイルを簡単に得ることができる。
【００３９】
また、コンピュータ７の処理速度は測定器と比べると相対的に高いので、目的のデータファイルを取得するためのトータル時間においても大幅に短縮することができる。
【００４０】
また、本発明は、通信で測定データを取得する場合にも応用できる。通信で測定データを取得するモードとして、バイナリとＡＳＣＩＩがあるが、最終的にファイルに保存する目的のＡＳＣＩＩ出力のユーザーは、本発明に基づく編集データファイルを取得してファイル保存し、後に実行することによりスピーディーに目的を達成することができる。
【００４１】
なお、上記実施例では波形測定装置の例で説明したが、その他の測定装置であってもよいし、さらには例えば心電計などの医療診断機器を用いて遠隔診断を行う場合にも適用できる。
【００４２】
【発明の効果】
以上説明したように、本発明によれば、測定データのフォーマットを変換してストレージ装置に格納する場合の処理時間を短縮できる測定データ処理方法および測定データ処理装置を実現することができ、波形測定装置や心電計を含む医療診断機器などの各種測定装置における実用上の効果は大きい。
【図面の簡単な説明】
【図１】本発明に基づく測定データ処理装置の概念構成図である。
【図２】出力データファイルの構成例図である。
【図３】本発明に基づくシステム構成における測定データ処理の流れを示すフローチャートである。
【図４】波形測定装置の一例を示す基本ブロック図である。
【図５】２チャンネルのＡＳＣＩＩファイル例の説明図である。
【図６】従来の測定データ処理装置の概念構成図である。
【符号の説明】
４  ＣＰＵ
４１  測定データファイル生成部
４２  変換用プログラム格納部
４５  出力データファイル編集部
４６  編集データファイル出力部
５  ストレージ装置
７  コンピュータ
【図１】
2004234119.tif 000003
【図２】
2004234119.tif 000004
【図３】
2004234119.tif 000005
【図４】
2004234119.tif 000006
【図５】
2004234119.tif 000007
【図６】
2004234119.tif 000008